(57)【要約】【課題】  従来の椅子でヘッドレストが無いものには、本来構造ならびに配慮無き構造ならびに荷重の集中などの力学上の強度から、後からヘッドレストを追加・付加し辛かった。【解決手段】  前記構造的脆弱性、すなわちヘッドレストにおいて椅子のフレームや背もたれの強度へ過渡に依存しない構造を得るには、頭部からの荷重を支点、力点、作用点を適宜な間隔で設けることで意図的に分散させ、椅子の構造体への負荷を軽減すると伴に、従来以上の強度と安定性を簡易に達成する事が出来る。【選択図】図１
2016222220.tif 000002
【特許請求の範囲】
【請求項１】
係留点が支点となる主軸に、ヘッドレストからの荷重が力点となり、これらが及ぶ作用点を有したヘッドレスト。
【請求項２】
差し替え可能なヘッドレスト部を係留するスリーブを設け、前記ヘッドレスト部の位置を変える受け口を設ける。
【発明の詳細な説明】
【技術分野】
【０００１】  本発明は、ヘッドレストを簡易的に取り付ける椅子の部品に関する。
【背景技術】
【０００２】  従来の椅子でヘッドレストが無いものには、構造ならびに力学上の強度から、後からヘッドレストを追加・付加し辛かった。
また、後からヘッドレストを取付けられるものであっても、施す椅子の背もたれに係るフレームに一点支持またはそれに類する極めて少ない接合面で固定するもの（例えば、特開２００８−０４９０８１）や接合面を広範に取ったもの（例えば、特開２００１−３１４２６７など）でも椅子のフレームに係る素材や形状によっては保持し辛く背もたれ前面に及ぶ当該部位に至っては使用者へ不快感を加えたり、また、二点支持（例えば、特開２００６−０２６１４０など）であっても各々接合面への荷重は小範囲内で掛かる事に加え、ヘッドレスト保持の観点において取付ける椅子のフレーム強度にのみ依存しており、前記何れも使用時におけるヘッドレストの使用強度および不測の圧力に対して不足を伴っていた。
【特許文献１】特開２００８−０４９０８１
【特許文献２】特開２０００−００５２３６  及び  特開２００６−０２６１４０  及び  特開２００１−２９３０３６
【特許文献３】特開平１１−０９９１８４  及び  特開２００１−３１４２６７
【発明の開示】
【発明が解決しようとする課題】
【０００３】  以上に述べた従来の椅子は、使用者の疲労を緩和させるヘッドレスト機能が取付けられない事によって、使用者の作業効率性を損なっている本来的な側面と、製品既定外品で後から取付けられるものであっても前述構造的脆弱性において使用者の不安感と選択枝の乏しさを伴い、ヘッドレスト機能の有用性を認知するに至った使用者においては著しい損失を被っていた。また、高機能・高価格チェアでは、より顕著となっていた。【０００４】  本発明は、このような従来の構成が有していた問題を解決しようとするものであり、当初からヘッドレストの設定が為されていない仕様へ簡易的にヘッドレストを取り付ける事が出来、且つ従来からの構造的脆弱性を力学的に強化することで、既製品と同等、またはそれ以上の性能を付加出来るものである。
【課題を解決するための手段】
【０００５】  そして、本発明は上記目的を達成するため、本発明簡易ヘッドレスト本体（同段落内以下、本体）と取付ける椅子との接点において力学的に３箇所を伴う必要がある。まず、本体を椅子に係留する接点が１箇所目、本体と使用者頭部との接点が２箇所目、これら二つの接点からの荷重を受けとめる接点が３箇所目となる。【０００６】  以下、詳しく説明をする。縦及び後方荷重を考慮した適宜強度の主軸に椅子へ係留する為のフック部を設けこれが支点となり、主軸に備え付けたヘッドレスト部に使用者の後頭部がもたれ掛かる時の荷重を力点とした場合、これらの荷重は前記支点となるフック部を介して、下部に設けた支持部が作用点となり荷重を受け止める。この時、これら力点からの荷重は、支点と作用点で各々分散される。すなわち、従来、椅子背面部の一点または狭小に掛かっていた荷重を支点、力点、作用点を伴うテコの原理を応用し且つ、各々の点間距離を適宜設けることでより荷重を分散させるに至り、よって簡易ヘッドレスト本体と装着する椅子への両負担軽減に至りより構造的ならびに設置時の安定に寄与、よってヘッドレストの装着意図が為されない椅子においても、使用に無理なく本発明の簡易ヘッドレストを機能させるものである。
【発明の効果】
【０００７】  上述した様に本発明の簡易ヘッドレストは、従来からヘッドレスト機能を有しない椅子に対し簡易的且つ力学的に安定する支点、力点、作用点を配することで、既製装着品と同等またはそれ以上の機能を有すると共に、素材の変更や、使用者の嗜好（配色やデザインの変更）・用途（ツボ・指圧機能などの付加、例えば図１１および図１２）によって差し替えるなど、従来以上の品質・性能を簡便に付加出来るものである。
【発明を実施するための最良の形態】
【０００８】  以下、簡易ヘッドレストの機能と構造および使用時の簡便性をより判り易くするため、自家用車両用ヘッドレストの流用または類似形状の場合で説明をする。
また、説明する本発明の基本構成図１〜７は、図３に示す中心線Ａに線対称に現れる為、特段の説明を要しない左右同一部分に関しては番号とそれ及ぶ説明を省略する。【０００９】  図１において、ヘッドレスト１には差し込み棒２が合致したヘッドレスト部を成し、主軸９は固定版３と合致した筐体（以下、筐体）を成し、この筐体とヘッドレスト部の２が係留する為のスリーブａ４へ接続し、この時、２を受け止める受け口５と５を固定及び係留する留め具ａ６は受け皿部を成し、筐体ならびに９に幾つか設けられた固定接続穴７に６が嵌合することで係留及び固定する。この時、ヘッドレスト部は、図８ならびに図９の様に受け皿部が７のうち何れかの位置で変える事により、使用者の体格に合わせるなどヘッドレスト部の位置を調整する事が出来る。【００１０】  突起ａ８は、椅子の構造において８が載る又は掛かる状態で係留可能な横軸方向のフレームＢを前提とし、８と留め具ｂ１４によってＢを挟み込む様に留める事で、筐体及び全体が抜けない様に施される。また、Ｂにおいて背もたれとフレーム間に９が差し込める余幅がある場合において８は図８の様に設置されるが、他の製品形状フレームＣにおいて８を差し込む余幅無く且つ多少の余地が残されている場合には、８と１４は図３の反対側の図７、すなわち図１０に示す使用者の前方向側に設置され尚且つ８と１４を先端で結んだ形状となる係留フック１６または８がそれに類する鍵フック状を施す事で、筐体及び全体をＢに係留させ、図８と同様の機能を有する図９となる。この時、前記ヘッドレスト部や後記支持部の距離や形状は、適宜調整または差し替えられる。【００１１】  筐体なる９に係留するスリーブｂ１１と突起ｂ１０及び留め具ｃ１５は支持部を成し、椅子の背もたれの接点となる支持部は、接触面に対し適宜高さや角度を調整出来、また、対である支持部および９の間隔を抑制するための補正板１２は各々１５によって係留する９に固定する。
小物フック１３は、衣類ハンガーや小物などを一時的に係留するものであり、本発明の力学的優位性がより耐荷重性の向上する。
【図面の簡単な説明】  本発明における前面とは、椅子の背面に設置された状態において本発明全体が現れる状態、すなわち椅子の背面から見た面を表面とみなす。よって正面図ならびに平面図が表面となる。【００１２】
【図１】  本発明の実施形態を示す簡易ヘッドレストの斜視図
【図２】  同簡易ヘッドレストの底面から見る斜視図
【図３】  同簡易ヘッドレストの平面図
【図４】  同簡易ヘッドレストの上面図
【図５】  同簡易ヘッドレストの底面図
【図６】  同簡易ヘッドレストの右側面図
【図７】  同簡易ヘッドレストの背面図
【図８】  同簡易ヘッドレスト参考設置図Ａ
【図９】  同簡易ヘッドレスト参考設置図Ｂ
【図１０】  図３におけるＤ−Ｄ断面図を基にしたフレームＢとフレームＣ及び８と１４ならびに１６との差異
【図１１】  ヘッドレスト部の差し替え機能の一例である指圧機能を配した後方斜視図
【図１２】  ヘッドレスト部を指圧機能に差し替えた状態の参考設置図
【符号の説明】
【００１３】  １ヘッドレスト
２差し込み棒
３固定版
４スリーブａ
５受け口
６留め具ａ
７固定接続穴
８突起ａ
９主軸
１０突起ｂ
１１スリーブｂ
１２補正板
１３小物フック
１４留め具ｂ
１５留め具ｃ
１６係留フック
Ａ中心線
Ｂフレーム
Ｃフレーム
【図１】
2016222220.tif 000003
【図２】
2016222220.tif 000004
【図３】
2016222220.tif 000005
【図４】
2016222220.tif 000006
【図５】
2016222220.tif 000007
【図６】
2016222220.tif 000008
【図７】
2016222220.tif 000009
【図８】
2016222220.tif 000010
【図９】
2016222220.tif 000011
【図１０】
2016222220.tif 000012
【図１１】
2016222220.tif 000013
【図１２】
2016222220.tif 000014